【手続補正書】
【提出日】平成21年6月26日(2009.6.26)
【手続補正１】
【補正対象書類名】特許請求の範囲
【補正対象項目名】全文
【補正方法】変更
【補正の内容】
【特許請求の範囲】
【請求項１】
第一と第二の論理パーティション分割ストレージシステムを備えるストレージシステムに於いて、
前記第一と第二の論理パーティション分割ストレージシステムにアクセスを要求するコマンドを開始するステップと、
前記第一と第二の論理パーティション分割ストレージシステムでの前記コマンドの実行が許可済として登録されているかを判定するステップと、
前記コマンドの実行が許可済として登録されていることを判定した場合に該コマンドを実行するステップと、
を含むことを特徴とする論理パーティションを跨ってコマンドを実行する為の方法。
【請求項２】
前記第一の論理パーティション分割ストレージシステムの第一の管理者からの認定と前記第二の論理パーティション分割ストレージシステムの第二の管理者からの認定により前記コマンドを登録するステップ、を更に含み、
前記第一と第二の管理者が前記特定のコマンドを認定したら、該コマンドを事前定義されたテーブルに登録する、
ことを特徴とする請求項１の方法。
【請求項３】
前記事前定義されたテーブルを前記ストレージシステムの外部に保存するステップを更に含むことを特徴とする請求項２の方法。
【請求項４】
前記コマンドを開始する前記ステップは、前記第一の論理パーティション分割ストレージシステムの第一のボリュームを前記第二の論理パーティション分割ストレージシステムの第二のボリュームにコピーするボリュームコピーコマンドを開始するステップを含むことを特徴とする請求項１の方法。
【請求項５】
前記コマンドを開始する前記ステップは、前記第一又は第二の論理パーティション分割ストレージシステムの何れかの管理者が、該第一又は第二の論理パーティション分割ストレージシステムの他方のストレージシステムの資源を一時的に使用することを要求する、コマンドを開始するステップを含むことを特徴とする請求項１の方法。
【請求項６】
前記管理者が前記コマンドを認定する前に、管理インターフェースが前記第一と第二の管理者を認証するステップを更に含むことを特徴とする請求項２の方法。
【請求項７】
前記ストレージシステムは管理インターフェースを備え、前記各論理パーティション分割ストレージシステムはコマンドインターフェースを備え、
前記管理インターフェースは、前記論理パーティション分割ストレージシステムの一方が該論理パーティション分割ストレージシステムの他方に対して実行することが許可されるコマンドのテーブルを含み、
前記各論理パーティション分割ストレージシステムの前記コマンドインターフェースは、前記コマンドが認定されているかを判定する、
ことを特徴とする請求項１の方法。
【請求項８】
第一と第二の論理パーティション分割ストレージシステムを跨ってコマンドを実行する為の方法であって、
前記コマンドが一の前記論理パーティション分割ストレージシステム以外の資源を含むなら、該コマンドの実行が前記第一と第二の論理パーティション分割ストレージシステムの管理者によって認定済かを判定するステップと、
前記判定結果、前記コマンドの実行を前記何れかの管理者が未認定であったら、該コマンドの実行前に該未認定管理者からの認定が受けられるまで待つステップと、
前記判定結果、前記コマンドの実行が前記全ての管理者により認定済みであったら、該コマンドを実行するステップと、
を含むことを特徴とする方法。
【請求項９】
前記コマンドの実行に対する認定を全ての前記管理者から受信したら事前定義されたテーブルに該コマンドを登録するステップを更に含むことを特徴とする請求項８の方法。
【請求項１０】
前記コマンドが実行されるなら、前記論理パーティション分割ストレージシステムの一方の構成を反映する仮想論理ストレージシステムを用意するステップを更に含むことを特徴とする請求項８の方法。
【請求項１１】
前記コマンドが、前記第一と第二の論理パーティション分割ストレージシステムの管理者によって認定済なら、該論理パーティション分割ストレージシステムの一方が、前記仮想論理ストレージシステムの前記構成をインポートするステップを更に含むことを特徴とする請求項１０の方法。
【請求項１２】
前記管理者が前記コマンドを認定することを許可される前に、管理インターフェースが前記管理者を認証するステップを更に含むことを特徴とする請求項８の方法。
【請求項１３】
第一のホストがアクセス可能な第一の論理ストレージシステムと、
第二のホストがアクセス可能な第二の論理ストレージシステム、
を有するストレージシステムにおいて、
前記第一のホストは前記第二の論理ストレージシステムにはアクセス権をもたず、前記第二のホストは前記第一の論理ストレージシステムにはアクセス権をもたず、
前記第一のホストから前記第二の論理ストレージシステムの資源へのアクセスを要求するコマンドを受信したら、該コマンドは、前記第一の論理ストレージシステムの第一の管理者と前記第二の論理ストレージシステムの第二の管理者からの認定を受信後に限って、許可される、
ことを特徴とするストレージシステム。
【請求項１４】
前記第一の論理ストレージシステムに含まれる第一のコマンドインターフェースと、
前記第二の論理ストレージシステムに含まれる第二のコマンドインターフェース、を更に有し、
事前定義されたテーブルに照らして前記コマンドが許可されることを前記第一と第二のコマンドインターフェースが確認してから、該コマンドは実行されることを特徴とする請求項１３のストレージシステム。
【請求項１５】
前記各第一と第二の論理ストレージシステムは、特定のコマンドが認定済かを示すテーブルを含むことを特徴とする請求項１３のストレージシステム。
【請求項１６】
管理インターフェースは、前記論理ストレージシステムを跨った実行が認定されたコマンドを含む事前定義されたテーブルを有することを特徴とする請求項１３のストレージシステム。
【請求項１７】
前記論理ストレージシステムの前記管理者は、前記コマンドを認定することを許可される前に、前記管理インターフェースによって認証されることを特徴とする請求項１６のストレージシステム。
【請求項１８】
前記第一の論理ストレージシステムのユーザが前記コマンドを実行するために、前記第二の論理ストレージシステムの構成を規定する仮想論理ストレージシステムを生成することを特徴とする請求項１３のストレージシステム。
【請求項１９】
前記第二の論理ストレージシステムの前記管理者が前記コマンドを認定したら、前記仮想論理ストレージシステムの前記構成が該第二の論理ストレージシステムにインポートされることを特徴とする請求項１８のストレージシステム。
【請求項２０】
各々第一と第二の論理パーティションとして、第一の管理者を持つ第一の論理パーティション分割ストレージシステムと第二の管理者を持つ第二の論理パーティション分割ストレージシステムを備えるストレージシステムに於いて、論理パーティションを跨ってコマンドを実行する為の方法であって、
前記ストレージシステムが、前記第一の管理者による、前記論理パーティションを跨って前記コマンドを実行するために前記第二の論理パーティション分割ストレージシステムの資源要求の指定を受け付けるステップと、
前記ストレージシステムが、前記第二の管理者によって前記コマンドの実行が認定された場合、前記指定された要求に従って該第二の管理者による資源の割り当てを受け付けるステップと、
を含むことを特徴とする方法。
【請求項２１】
前記ストレージシステムは、前記第一の管理者の命令により管理インターフェースに前記資源要求を指定し、該管理インターフェースは、前記第二の管理者に該要求を伝えるステップを更に含むことを特徴とする請求項２０の方法。
【請求項２２】
前記第一と第二の管理者が前記コマンドを認定する前に、管理インターフェースが該第一と第二の管理者を認証するステップを更に含むことを特徴とする請求項２０の方法。